(57)【要約】【課題】紙幣取入口の位置が異なる複数種類の紙幣取扱装置を設置することができる遊技機を提供する。【解決手段】スロットマシン１０は、紙幣を挿入可能な紙幣挿入口２８を有する扉１６を備え、その紙幣挿入口２８を介して筐体１２の外部から挿入される紙幣を取り入れる紙幣取入口５４ｂを有する紙幣取扱装置５４と、その紙幣取扱装置５４を支持する支持機構５６とを備えている。また、この支持機構５６は、支持ケース１０４を備え、その支持ケース１０４には、紙幣取扱装置の位置を調節する長穴１１４ｂ、１１４ｃ、長穴１１６ａから１１６ｈが形成されている。更には、支持ケース１０４の位置を調節する位置調整機構１０６が固定されている。【選択図】    図３
2004344521.tif 000002
【特許請求の範囲】
【請求項１】
紙幣を挿入可能な紙幣挿入口を有する筐体を備え、当該紙幣挿入口を介して前記筐体の外部から挿入される紙幣を取り入れる紙幣取入口を有する紙幣取扱装置と、当該紙幣取扱装置を支持する支持機構と、を前記筐体の内部に備えた遊技機であって、
前記支持機構は、前記紙幣取扱装置における前記紙幣取入口と前記筐体における前記紙幣挿入口との相対位置を調節する調節部を備えたことを特徴とする遊技機。
【請求項２】
紙幣を挿入可能な紙幣挿入口を有する筐体を備え、当該紙幣挿入口を介して前記筐体の外部から挿入される紙幣を取り入れる紙幣取入口を有する紙幣取扱装置と、当該紙幣取扱装置を支持する支持機構と、を前記筐体の内部に備えた遊技機であって、
前記支持機構は、前記紙幣取扱装置が支持され、前記筐体に対して変位可能な可変機構と、前記可変機構の位置を調節する調節機構と、を備え、
前記調節機構は、前記可変機構を変位方向に移動させることに応じて、紙幣取扱装置における前記紙幣取入口と前記筐体における前記紙幣挿入口との相対位置を調節する機能を有することを特徴とする遊技機。
【発明の詳細な説明】
【０００１】
【発明の属する技術分野】
本発明は、遊技機に関するものであり、特に、紙幣取扱装置の支持機構により紙幣取扱装置の位置調節を行うことができる遊技機に関する。
【０００２】
【従来の技術】
従来、遊技機には、紙幣の挿入に応じて遊技を実行可能な状態とするものがある。このような遊技機の筐体の内部には、紙幣を取り入れるための紙幣取入口が一体に設けられている紙幣取扱装置が設置されている。また、筐体には外部から紙幣が挿入可能な紙幣挿入口が設けられており、その紙幣挿入口に対面する位置に紙幣取入口が備えられるように紙幣取扱装置が設置される。これによって、正常に紙幣を取り入れることが実現される。
【０００３】
このような紙幣取扱装置は、各国によって取扱う紙幣の種類が異なるため、一般的に遊技場の管理者等により購入され、遊技機の筐体内部に設置される。
【０００４】
また、弾性を有する緩衝部材を備えることにより、紙幣取扱装置の前面に垂直な方向および平行な方向にある程度の遊びを持たせ、寸法誤差による調整を要せず、紙幣取扱装置における紙幣取入口と筐体前面に備えられた紙幣挿入口とを対面させるように設置される紙幣取扱装置が開示されている（例えば、特許文献１参照。）。
【０００５】
【特許文献１】
特開平９−１０６４７１号公報
【０００６】
【発明が解決しようとする課題】
しかしながら、上述した遊技機においては、遊びを持たせる範囲が小さく、寸法誤差を吸収させることのみが実現され、設置される紙幣取扱装置の種類によって紙幣取入口の位置が異なるため、紙幣取入口の位置が寸法誤差よりも大きく異なる場合がある。そのような場合、紙幣取入口と紙幣挿入口とが対面することなく、紙幣の取り入れに関する異常が発生するおそれがあり、各種の紙幣取扱装置を設置することはできない。
【０００７】
本発明は、上述したような課題に鑑みてなされたものであり、紙幣取入口の位置が異なる複数種類の紙幣取扱装置を設置することができる遊技機を提供することを目的とする。
【０００８】
【課題を解決するための手段】
以上のような目的を達成するために、本発明の遊技機は、紙幣取扱装置における紙幣取入口と筐体における紙幣挿入口との相対位置を調節する支持機構を備えたことを特徴とする。
【０００９】
より具体的には、本発明は、以下のようなものを提供する。
【００１０】
（１）  紙幣を挿入可能な紙幣挿入口を有する筐体を備え、当該紙幣挿入口を介して前記筐体の外部から挿入される紙幣を取り入れる紙幣取入口を有する紙幣取扱装置と、当該紙幣取扱装置を支持する支持機構と、を前記筐体の内部に備えた遊技機であって、前記支持機構は、前記紙幣取扱装置における前記紙幣取入口と前記筐体における前記紙幣挿入口との相対位置を調節する調節部を備えたことを特徴とする遊技機。
【００１１】
（１）に記載の発明によれば、紙幣取扱装置を支持する支持機構に、紙幣取扱装置における紙幣取入口と筐体における紙幣挿入口との相対位置を調節する調節部を備えたので、紙幣挿入口と紙幣取入口とを対面させるような位置に紙幣取扱装置が調節されることにより、紙幣挿入口を介して筐体の外部から挿入される紙幣を正常に取り入れることができ、紙幣取入口の位置が異なる複数種類の紙幣取扱装置を設置することができる。
【００１２】
（２）  紙幣を挿入可能な紙幣挿入口を有する筐体を備え、当該紙幣挿入口を介して前記筐体の外部から挿入される紙幣を取り入れる紙幣取入口を有する紙幣取扱装置と、当該紙幣取扱装置を支持する支持機構と、を前記筐体の内部に備えた遊技機であって、前記支持機構は、前記紙幣取扱装置が支持され、前記筐体に対して変位可能な可変機構と、前記可変機構の位置を調節する調節機構と、を備え、前記調節機構は、前記可変機構を変位方向に移動させることに応じて、前記紙幣取扱装置における前記紙幣取入口と前記筐体における前記紙幣挿入口との相対位置を調節する機能を有することを特徴とする遊技機。
【００１３】
（２）に記載の発明によれば、支持機構は、紙幣取扱装置が支持され、筐体に対して変位可能な可変機構と、その可変機構の位置を調節する調節機構と、を備えており、その調節機構は、可変機構を変位方向に移動させることに応じて紙幣取扱装置における紙幣取入口と筐体における紙幣挿入口との相対位置を調節するので、微細な調整が可能となり、紙幣挿入口を介して筐体の外部から挿入される紙幣を正常に取り入れることができるため、紙幣取入口の位置が異なる複数種類の紙幣取扱装置を設置することができる。
【００１４】
【発明の実施の形態】
以下に、本発明に好適な実施形態について図面に基づいて説明する。尚、以下に説明する実施形態においては、本発明に係る遊技機に好適な実施形態として本発明をスロットマシンに適用させた場合を示す。また、本発明はスロットマシンに限らず、パチンコ遊技機を含むメダル遊技機、カード遊技機、ビデオ遊技機等、各種の遊技機に適用することができる。
【００１５】
［遊技機の構成］
本実施形態におけるスロットマシンの概観について図１を用いて説明する。図１は、扉を閉鎖した状態のスロットマシンの概観を示す図である。
【００１６】
図１に示すように、スロットマシン１０は、筐体１２と、その筐体１２に組み付けられる各種の部品とから構成されている。この筐体１２は、金属製の本体１４（図２参照）と、金属製の扉１６とから構成されている。扉１６は、本体１４に形成された凹部１４ａ（図２参照）を前面から閉鎖するためのものであり、開閉可能に本体１４に対して軸着されている。
【００１７】
尚、本体１４、扉１６は、金属製でなくともよく、例えば、樹脂製、木製であってもよい。また、筐体１２は、本体１４と扉１６とからなる構成としたが、本発明はこれに限らず、他の構成要件を備えていてもよく、例えば、他の扉を備えるように構成してもよい。更には、扉１６は、本体１４に軸着されているが、本発明はこれに限らず、開閉可能に取り付けられる形態でれば他の形態であってもよい。
【００１８】
筐体１２の正面には、画像を表示する表示装置２２が備えられている。この表示装置２２には、画像が表示される表示領域２２ａが設けられている。この表示領域２２ａには、透過性の高い画像が表示可能であり、その透過性の高い画像が表示された場合には、内蔵されている３つのリール２４Ｌ、２４Ｃ、２４Ｒが視認可能となる。
【００１９】
表示装置２２の下方には、遊技媒体であるコイン等を投入可能なコイン投入口２６が形成されている。このコイン投入口２６からコインが投入されることに応じて、スロットゲームが実行可能な状態となる。
【００２０】
コイン投入口２６の側方には、遊技媒体である紙幣を挿入可能な紙幣挿入口２８が備えられている。具体的には、紙幣挿入口２８は、扉１６に備えられている。尚、本実施形態においては、扉１６に紙幣挿入口２８を備える構成としたが、本発明はこれに限らず、紙幣挿入口を本体１４に構成してもよい。この紙幣挿入口２８から紙幣が挿入されることに応じて、スロットゲームが実行可能な状態となる。
【００２１】
コイン投入口２６の下方には、遊技者により操作可能な複数の操作部３０が備えられている。これら複数の操作部３０の操作に応じて、スロットマシン１０の制御が行われる。
【００２２】
また、筐体１２の正面の下方には、コイン排出口（図示せず）が形成されており、コイン排出口から排出されるコイン等が排出され、コイン受け皿３２に払い出される。
【００２３】
本実施形態におけるスロットマシンの概観について図２を用いて説明する。図２は、扉１６を開放した状態のスロットマシン１０の概略を示す図である。
【００２４】
本体１４には、凹部１４ａが形成されており、その凹部１４ａには、各種の部品が取り付けられている。
【００２５】
本体１４の内壁には、金属製の支持ボード４２が備えられている。この支持ボード４２は、本体１４の内壁に水平に取り付けられている。
【００２６】
支持ボード４２の上方には、３つのリール２４Ｌ、２４Ｃ、２４Ｒが備えられている。各リール２４Ｌ、２４Ｃ、２４Ｒには、それぞれ図柄が描かれている。各リール２４Ｌ、２４Ｃ、２４Ｒの内部には、モータが備えられており、そのモータの駆動に応じて、各リール２４Ｌ、２４Ｃ、２４Ｒが回転、停止される。各リール２４Ｌ、２４Ｃ、２４Ｒが駆動されることにより、図柄が変動するように視認可能となる。また、リール２４Ｌ、２４Ｃ、２４Ｒが停止されることにより、図柄が停止するように視認可能となる。
【００２７】
支持ボード４２の下方には、主制御装置５２が備えられている。この主制御装置５２は、スロットマシン１０を制御するため、スロットマシン１０に関する情報処理を実行するものである。
【００２８】
また、主制御装置５２の側方には、紙幣取扱装置５４が備えられている。この紙幣取扱装置５４は、紙幣挿入口２８を通じて筐体１２の外部から挿入されたことを検知する機能、紙幣挿入口２８から挿入された紙幣を搬送する機能、紙幣挿入口２８から挿入された紙幣の種類を検知する機能、搬送された紙幣を収納する機能を有する。
【００２９】
紙幣取扱装置５４は、支持機構５６により支持されており、その支持機構５６は、本体１４及び支持ボード４２により支持される。また、この支持機構５６は、上下方向に変位可能としてなり、紙幣取扱装置５４の設置位置を調節することが可能となる。つまり、紙幣取扱装置５４における紙幣取入口５４ｂと本体１４における紙幣挿入口２８との相対的な位置（相対位置）を調節することが可能となる。これら紙幣取扱装置５４、支持機構５６については、詳しく後述する。
【００３０】
また、主制御装置５２の下方には、ホッパー５８が備えられている。このホッパー５８には、コインが収納されている。また、所定の払出条件を満たした場合に、コインが排出される。
【００３１】
ホッパー５８の側方には、電源装置６０が備えられている。この電源装置６０は、主制御装置５２、紙幣取扱装置５４等に電源を供給する。
【００３２】
また、扉１６の内壁にも、各種の部品が取り付けられている。例えば、扉１６の内壁中央には、内側から表示装置２２、コイン識別装置６４等が備えらえている。
【００３３】
尚、本実施形態においては、表示装置２２とリール２４Ｌ、２４Ｃ、２４Ｒとを備えるように構成したが、本発明はこれに限らず、他の態様であってもよく、例えば、表示装置２２とリール２４Ｌ、２４Ｃ、２４Ｒとのいずれかを備えるように構成してもよい。
【００３４】
また、本実施形態においては、表示装置２２として液晶表示装置を用いるように構成したが、本発明はこれに限らず、別の態様であってもよく、例えば、ブラウン管、ドットＬＥＤ、セグメントＬＥＤ等からなるものであってもよく、更には、表示装置を備えないように構成してもよい。
【００３５】
［紙幣取扱装置］
本実施形態における紙幣取扱装置５４と、その紙幣取扱装置５４の支持機構５６とについて図３を用いて説明する。図３は、本実施形態におけるスロットマシン１０の紙幣取扱装置５４と、紙幣取扱装置５４の支持機構５６との概観を示す図である。
【００３６】
紙幣取扱装置５４の正面には、扉１６に備えらえた紙幣挿入口２８から挿入された紙幣を案内するための紙幣案内部５４ａと、案内された紙幣を取り入れる紙幣取入口５４ｂとが備えられている。
【００３７】
紙幣案内部５４ａは、その上面が水平となるように備えられている。紙幣案内部５４ａは、扉１６に備えられた紙幣挿入口２８を通じて外部から挿入された紙幣を、紙幣案内部５４ａの上面で紙幣取入口５４ｂに案内する。
【００３８】
紙幣取入口５４ｂは、紙幣案内部５４ａの後方に備えられている。この紙幣取入口５４ｂは、紙幣挿入口２８と対面するように位置付けられている。また、この紙幣取入口５４ｂの内部には、紙幣の挿入を検知するセンサと、紙幣の挿入が検知された場合に、その紙幣を内部に搬送するための搬送ローラが備えられている。この搬送ローラは、モータ制御される。
【００３９】
このため、紙幣挿入口２８を通じて外部から挿入された紙幣は、紙幣案内部５４ａの上面により案内され、紙幣取入口５４ｂに取り入れられる。そして、紙幣取入口５４ｂに取り入れられた紙幣は、センサにより検知され、搬送ローラの駆動により、紙幣取扱装置５４内部に搬送され、収納される。
【００４０】
このように、紙幣案内部５４ａ、紙幣取入口５４ｂの設置位置により、紙幣を搬送する手段と、紙幣の種類を検知する手段と、紙幣の取り入れを検知する手段とを正常に機能させることができる構成となる。つまり、紙幣取扱装置５４の設置位置により、その紙幣取扱装置５４における各種の機能が正常に実現されるのである。
【００４１】
紙幣取扱装置５４の前面には、ロック機構（図示せず）を構成する鍵穴５４ｃが備えられている。この鍵穴５４ｃに鍵を挿入し、開放操作が行われたことに応じて、ロック機構が閉状態から開状態となり、開閉板５４ｄが開放自在となる。
【００４２】
鍵穴５４ｃの下方には、開閉可能な金属製の開閉板５４ｄが備えられており、その開閉板５４ｄの内部に、搬送された紙幣を収納する紙幣収納箱（図示せず）を収納するための紙幣収納部（図示せず）が備えらえている。開閉板５４ｄを開放することにより、内蔵された紙幣収納箱が着脱自在となる。また、この開閉板５４ｄが開放され、紙幣収納箱が取り出されることにより、紙幣取扱装置５４は、その内部から支持ケース１０４に螺合可能となる。
【００４３】
例えば、紙幣取扱装置５４の種類に拘わらず、紙幣取扱装置５４における紙幣収納部の側面には長穴５４ｅが形成されており、紙幣取扱装置５４の内側から長穴５４ｅを介して、支持ケース１０４に形成されたねじ穴１０４ａ又は１０４ｂにボルトが螺合されることにより、そのボルトの頭部と支持ケース１０４に紙幣取扱装置５４が挟持される。
【００４４】
また、紙幣取扱装置５４の底面には、２つの長穴（図示せず）が形成されており、紙幣取扱装置５４の内側から２つの長穴を介して、支持ケース１０４のねじ穴１１２ｂ及び１１２ｃにボルトが螺合されることにより、そのボルトの頭部と支持ケース１０４に紙幣取扱装置５４が挟持される。
【００４５】
このように構成することにより、紙幣取扱装置５４と支持ケース１０４とを固定することとなる。また、紙幣取扱装置５４に長穴が形成されているため、紙幣取扱装置５４の種類に拘わらず、どの紙幣取扱装置５４も支持ケース１０４に固定することができる。
【００４６】
紙幣取扱装置５４は、支持機構５６を構成する支持ケース１０４に対して固定され、支持機構５６により支持される。
【００４７】
この支持機構５６は、支持ボード４２、固定板１０２、支持ケース１０４、位置調節機構１０６等から構成される。固定板１０２は、支持ボード４２に固定され、支持ケース１０４を可変可能に支持する。支持ケース１０４は、固定板１０２と本体１４とに可変可能に固定され、固定板１０２、本体１４及び位置調節機構１０６により支持される。位置調節機構１０６は、本体１４に固定され、紙幣取扱装置５４が固定された支持ケース１０４の底面を支持するとともに、その支持ケース１０４の上下方向位置の調整を行うことができる。つまり、紙幣取扱装置５４における紙幣取入口５４ｂと本体１４における紙幣挿入口２８との相対位置を調節することができる。
【００４８】
また、上述した支持ボード４２、固定板１０２は、本体１４に対して変位できないように（変位不可能に）固定される。また、支持ケース１０４は、本体１４に対して変位できるように（変位可能に）固定される可変機構に相当する。また、位置調節機構１０６は、本体１４に対して変位可能な支持ケース１０４をスライド（移動）させ、変位させるための調節機構に相当する。調節機構としての位置調節機構は、本体１４に対して変位可能な螺合部材であるノブボルト１１０を備え、そのノブボルト１１０を固定板１０８に螺合させることにより、支持ケース１０４を変位方向に変位させる。
【００４９】
本実施形態における固定板１０２について図３及び図４を用いて説明する。図４は、本実施形態におけるスロットマシン１０の固定板１０２を示す平面図である。
【００５０】
固定板１０２は、図３に示すように、略矩形状である金属製の薄板である。この固定板１０２は、その長手方向の一端を支持ボード４２に固定される。
【００５１】
この固定板１０２には、図３及び図４に示すように、その長手方向の一端に、２つの係止爪１０２ａ及び１０２ｂが形成されている。２つの係止爪１０２ａ及び１０２ｂは、スロットマシン１０の正面に向かって凸形状である。各係止爪１０２ａ及び１０２ｂは、支持ボード４２に形成された矩形状の２つの開口４２ａ及び４２ｂに挿入された状態で、前方に変位され、支持ボード４２の上面に対して係止される。
【００５２】
固定板１０２には、その長手方向の一端であり、２つの係止爪１０２ａ及び１０２ｂの間に、矩形状の当接部１０２ｃが形成されている。この当接部１０２ｃは、上方に向かって面しており、固定板１０２を支持ボード４２に固定することにより、支持ボード４２の底面に当接する。
【００５３】
固定板１０２には、その当接部１０２ｃに、ねじ穴１０２ｄ及び１０２ｅが形成されている。固定板１０２は、これらのねじ穴１０２ｄ及び１０２ｅを通じて、支持ボード４２に形成された２つのねじ穴４２ｃ及び４２ｄにボルトにより固定される。
【００５４】
これにより、係止爪１０２ａ及び１０２ｂが、支持ボード４２の上面に係止され、当接部１０２ｃが支持ボード４２の底面に当接された状態で、ボルトにより固定板１０２が支持ボード４２に固定される。つまり、固定板１０２は、本体１４に対して変位不可能に固定される。また、この固定板１０２は、支持ボード４２の上面に係止され、当接部１０２ｃが支持ボード４２の底面に当接された状態で固定されるため、水平方向に対する外力、鉛直方向に対する外力に対する抗力が強まり、紙幣取扱装置５４を安定して支持することができる。
【００５５】
固定板１０２には、その側面の中央に、２つの突起１０２ｆ及び１０２ｇが形成されている。これらの突起１０２ｆ及び１０２ｇは、固定板１０２に対して垂直に形成されている。また、これらの突起１０２ｆ及び１０２ｇは、固定板１０２の長手方向に並設されている。尚、これらの突起１０２ｆ及び１０２ｇは、調節部の一部に相当する。
【００５６】
この突起１０２ｆは、後述する支持ケース１０４に形成された長穴１１６ａ又は１１６ｂに挿入される。一方、突起１０２ｇは、後述する支持ケース１０４に形成された長穴１１６ｃ又は１１６ｄに挿入される。
【００５７】
固定板１０２は、その側面の中央に、２つのボルト１０２ｈ及び１０２ｉが固着されている。これらのボルト１０２ｈ及び１０２ｉは、上述した２つの突起１０２ｆ及び１０２ｇと同じ面に形成されており、固定板１０２に対して、垂直に形成されている。また、これらのボルト１０２ｈ及び１０２ｉは、固定板１０２の短手方向に並設されている。尚、これらのボルト１０２ｈ及び１０２ｉは、調節部の一部に相当する。
【００５８】
このボルト１０２ｈには、後述する支持ケース１０４に形成された長穴１１６ｅ又は１１６ｆに挿入される。一方、ボルト１０２ｉは、後述する支持ケース１０４に形成された長穴１１６ｇ又は１１６ｈに挿入される。
【００５９】
このような突起１０２ｆ、１０２ｇ、ボルト１０２ｈ、１０２ｉを備えるように構成することにより、後述するように、紙幣取扱装置５４が固定された支持ケース１０４の位置調整を行うことができる。つまり、紙幣取扱装置５４における紙幣取入口５４ｂと本体１４における紙幣挿入口２８との相対位置を調節することができる。
【００６０】
本実施形態における支持ケース１０４について図３、図５、図６を用いて説明する。図５及び図６は、本実施形態におけるスロットマシン１０の支持ケース１０４の側面図である。尚、図５は、スロットマシン１０における正面の右側から見た図であり、図６は、スロットマシン１０における正面の左側から見た図である。
【００６１】
支持ケース１０４は、図３に示すように、正面から見て、底面板１１２、台形状の右側面板１１４、台形状の左側面板１１６等から構成されている。
【００６２】
支持ケース１０４には、紙幣取扱装置５４を固定するためのねじ穴１０４ａ、１０４ｂが形成されている。また、支持ケース１０４の底面板１１２には、紙幣取扱装置５４を固定するためのねじ穴１１２ｂ、１１２ｃが形成されている。
【００６３】
また、上述したように、紙幣取扱装置５４に長穴が形成されているため、支持ケース１０４に長穴を形成しなくとも、どの紙幣取扱装置５４も支持ケース１０４に固定することができる。
【００６４】
尚、本実施形態においては、長穴が紙幣取扱装置５４に形成されたが、本発明はこれに限らず、他の態様であってもよい。例えば、紙幣取扱装置５４の壁面にねじ穴が形成され、支持ケースに長穴が形成されるように構成し、長穴の外側からその長穴を介して紙幣取扱装置５４に形成されたねじ穴にボルトが螺合されることにより、そのボルトの頭部と紙幣取扱装置５４に支持ケース１０４が挟持され、固定されるようにしてもよい。
【００６５】
支持ケース１０４の底面板１１２には、紙幣取扱装置５４を固定する上方向に凸形状の爪部１１２ａが形成されている。この爪部１１２ａは、その爪部１１２ａを超えて紙幣取扱装置５４を位置させないように形成されている。
【００６６】
支持ケース１０４の右側面板１１４には、図３及び図５に示すように、下方向に凸形状の爪部１１４ａが形成されている。この爪部１１４ａには、長手方向（変位方向）に延びた２つの長穴１１４ｂ及び１１４ｃが形成されている。
【００６７】
長穴１１４ｂには、本体１４の内壁に形成されたボルト１４ｂ、１４ｃのいずれかが挿入される。また、長穴１１４ｃには、ボルト１４ｃが挿入される場合がある。このように長手方向に延びた２つの長穴１１４ｂ及び１１４ｃを形成することにより、その長手方向（上下方向）に支持ケース１０４をスライドさせ、変位させることができる。また、ボルト１４ｂ、１４ｃが本体１４に固着されているため、本体１４に対して、支持ケース１０４を変位方向にスライドさせ、変位させることができる。つまり、紙幣取入口５４ｂが変位方向に変位されるため、紙幣取入口５４ｂと紙幣挿入口２８とを対面させる位置調整を行うことができるのである。尚、これらの長穴１１４ｂｆ及び１１４ｃ、ボルト１４ｂ、１４ｃは、調節部の一部に相当する。
【００６８】
これらボルト１４ｂ、１４ｃ等が長穴１１４ｂ、１１４ｃのいずれかの位置に挿入され、ナットが螺合されることにより、紙幣取扱装置５４を固定した支持ケース１０４が所定の位置で本体１４に固定される。
【００６９】
また、これら長穴１１４ｂ、１１４ｃは、紙幣取扱装置５４の種類に応じて、ボルト１４ｂ、１４ｃが挿入されるか否かが決定される。
【００７０】
例えば、ある種類の紙幣取扱装置（以降、Ａ種の紙幣取扱装置と称する）と、Ａ種の紙幣取扱装置よりも紙幣取入口が高い位置にある紙幣取扱装置（以降、Ｂ種の紙幣取扱装置と称する）とのいずれかを設置する場合には、ボルト１４ｂ、１４ｃが異なる長穴に挿入され、紙幣取扱装置、つまり紙幣取入口の高さを調節することができる。
【００７１】
Ａ種の紙幣取扱装置を設置する場合には、ボルト１４ｂ、ボルト１４ｃは、長穴１１４ｂ、長穴１１４ｃにそれぞれ挿入される。一方、Ｂ種の紙幣取扱装置を設置する場合には、ボルト１４ｂが長穴１１４ｃに挿入され、ボルト１４ｃは、どの長穴にも挿入されない。
【００７２】
これによって、紙幣挿入口と紙幣取入口とを対面させる位置に紙幣取扱装置を位置調節させることにより、紙幣取入口の位置が異なる複数種類の紙幣取扱装置を筐体内部に設置することができる。つまり、紙幣取扱装置５４における紙幣取入口５４ｂと本体１４における紙幣挿入口２８との相対位置を調節させることにより、紙幣取入口の位置が異なる複数種類の紙幣取扱装置を筐体内部に設置することができる。
【００７３】
支持ケース１０４の左側面板１１６には、図３及び図６に示すように、長手方向（変位方向）に延びた４つの長穴１１６ａから１１６ｄが形成されている。これらの長穴１１６ａ、１１６ｂのいずれかには、固定板１０２に形成された突起１０２ｆが挿入される。また、これらの長穴１１６ｃ、１１６ｄのいずれかには、固定板１０２に形成された突起１０２ｇが挿入される。このように長手方向に延びた２つの長穴１１６ａから１１６ｄを形成することにより、その長手方向（上下方向）に支持ケース１０４をスライドさせ、変位させることができる。また、突起１０２ｆ、１０２ｇが固定板１０２に固着されているため、本体１４に対して、支持ケース１０４を変位方向にスライドさせ、変位させることができる。つまり、紙幣取入口５４ｂが変位方向に変位されるため、紙幣取入口５４ｂと紙幣挿入口２８とを対面させる位置調整（紙幣取扱装置５４における紙幣取入口５４ｂと本体１４における紙幣挿入口２８との相対位置の調節）を行うことができるのである。尚、これらの長穴１１６ａから１１６ｄは、調節部の一部に相当する。
【００７４】
左側面板１１６には、長手方向に延びた４つの長穴１１６ｅから１１６ｈが形成されている。これらの長穴１１６ｅ、１１６ｆには、固定板１０２に形成されたボルト１０２ｈが挿入される。また、これらの長穴１１６ｇから１１６ｈには、固定板１０２に形成されたボルト１０２ｉが挿入される。このように長手方向に延びた２つの長穴１１６ｅから１１６ｈを形成することにより、その長手方向（上下方向）に支持ケース１０４をスライドさせ、変位させることができる。また、ボルト１０２ｈ、１０２ｉが固定板１０２に固着されているため、本体１４に対して、支持ケース１０４を変位方向にスライドさせ、変位させることができる。つまり、紙幣取入口５４ｂが変位方向に変位されるため、紙幣取入口５４ｂと紙幣挿入口２８とを対面させる位置調整（紙幣取扱装置５４における紙幣取入口５４ｂと本体１４における紙幣挿入口２８との相対位置の調節）を行うことができるのである。尚、これらの長穴１１６ｅから１１６ｈは、調節部の一部に相当する。
【００７５】
また、これらの長穴１１６ｅから１１６ｈに、固定板１０２に形成された２つのボルト１０２ｈ、１０２ｉが挿入され、上下方向に位置調節された後、ボルト１０２ｈ、１０２ｉにナットを螺合することにより、支持ケース１０４を固定板１０２に固定することができる。
【００７６】
また、これら長穴１１６ａから１１６ｈは、紙幣取扱装置５４の種類に応じて、突起１０２ｆ、１０２ｇ、ボルト１０２ｈ、１０２ｉが挿入されるか否かが決定される。
【００７７】
上述した一例を用いて説明すると、Ａ種の紙幣取扱装置とＢ種の紙幣取扱装置とのいずれかを設置する場合には、突起１０２ｆ、１０２ｇ、ボルト１０２ｈ、１０２ｉが異なる長穴に挿入されることにより、紙幣取扱装置、つまり紙幣取入口の高さを調節することができる。
【００７８】
Ａ種の紙幣取扱装置を設置する場合には、突起１０２ｆ、突起１０２ｇ、ボルト１０２ｈ、ボルト１０２ｉは、長穴１１６ａ、長穴１１６ｃ、長穴１１６ｅ、長穴１１６ｇにそれぞれ挿入される。一方、Ｂ種の紙幣取扱装置を設置する場合には、突起１０２ｆ、突起１０２ｇ、ボルト１０２ｈ、ボルト１０２ｉは、長穴１１６ｂ、長穴１１６ｄ、長穴１１６ｆ、長穴１１６ｈにそれぞれ挿入される。
【００７９】
これによって、紙幣挿入口と紙幣取入口とを対面させる位置に紙幣取扱装置を位置調節させることにより、紙幣取入口の位置が異なる複数種類の紙幣取扱装置を筐体内部に設置することができる。尚、本体１４に固着されているボルト１４ｂ、１４ｃ、固定板１０２に固着されているボルト１０２ｈ、１０２ｉに螺合されるナットと、ボルト１４ｂ、１４ｃ、ボルト１０２ｈ、１０２ｉとを、可変機構を固定する固定部材として構成している。
【００８０】
本実施形態における位置調節機構１０６について図３を用いて説明する。
【００８１】
位置調節機構１０６は、固定板１０８とノブボルト１１０とから構成されている。
【００８２】
固定板１０８には、２つの当接片１０８ａ、１０８ｂが形成されている。この当接片１０８ａ、１０８ｂは、本体１４の内壁に当接される。
【００８３】
また、この当接片１０８ａ、１０８ｂには、それぞれ開口１０８ｃ、１０８ｄが形成されている。開口１０８ｃ、１０８ｄには、本体１４に形成されたボルト１４ｄ、１４ｅが挿入され、そのボルト１４ｄ、１４ｅにナットを螺合させることにより、固定板１０８が本体１４に固定される。
【００８４】
また、固定板１０８には、その固定板１０８を本体１４に固定した場合に水平に保たれる水平片１０８ｅが形成されている。この水平片１０８ｅには、ねじ穴１０８ｆが形成されている。このねじ穴１０８ｆには、ノブボルト１１０が螺合される。また、その固定板１０８を本体１４に固定した場合に水平片１０８ｅを保つことにより、ノブボルト１１０を鉛直方向に変位させることとなる。
【００８５】
ノブボルト１１０は、ねじ穴１０８ｆに螺合され、そのノブボルト１１０の先端部１１０ａが支持ケース１０４の底面に当接する。これによって、ノブボルト１１０が螺合操作されることにより、ノブボルト１１０が上下方向に変位され、支持ケース１０４の底面に当接するノブボルト１１０の先端部１１０ａが支持ケース１０４を上下方向に位置調節されることとなる。つまり、紙幣取扱装置５４における紙幣取入口５４ｂと本体１４における紙幣挿入口２８との相対位置を調節することができる。
【００８６】
例えば、ある種類の紙幣取扱装置（以降、Ｃ種の紙幣取扱装置と称する）と、Ｃ種の紙幣取扱装置よりも紙幣取入口が高い位置にある紙幣取扱装置（以降、Ｄ種の紙幣取扱装置と称する）とのいずれかを設置する場合には、ノブボルト１１０の螺合位置が異なり、紙幣取扱装置の設置位置を調節することができる。つまり紙幣取入口の高さを調節することができるのである。
【００８７】
この例においては、突起１０２ｆ、突起１０２ｇ、ボルト１０２ｈ、ボルト１０２ｉは、長穴１１６ａ、長穴１１６ｃ、長穴１１６ｅ、長穴１１６ｇにそれぞれ挿入されており、Ｃ種の紙幣取扱装置を設置する場合には、Ｄ種の紙幣取扱装置を設置する場合よりも、ノブボルト１１０が上方に螺合されていることとなる。
【００８８】
これによって、紙幣挿入口と紙幣取入口とを対面させる位置に紙幣取扱装置を位置調節させることにより、紙幣取入口の位置が異なる複数種類の紙幣取扱装置を筐体内部に設置することができる。つまり、紙幣取扱装置５４における紙幣取入口５４ｂと本体１４における紙幣挿入口２８との相対位置を調節させることにより、紙幣取入口の位置が異なる複数種類の紙幣取扱装置を筐体内部に設置することができる。
【００８９】
尚、ノブボルト１１０には、ナット１１１が螺合されている。ノブボルト１１０が所定の位置に位置する場合には、そのノブボルト１１０に螺合されたナット１１１が水平片１０８ｅに当接されるため、ノブボルト１１０の変位範囲が画定される。
【００９０】
［紙幣取扱装置の位置調整行程］
以下に、スロットマシン１０における紙幣取扱装置５４の位置調整行程について図３、図７から図１０を用いて説明する。
【００９１】
最初に、図３及び図７に示すように、位置調節機構１０６を本体１４に固定する。具体的には、固定板１０８におけるねじ穴１０８ｆにノブボルト１１０が螺合された状態で、開口１０８ｃ、１０８ｄにそれぞれボルト１４ｄ、１４ｅを挿入させる。そして、開口１０８ｃ、１０８ｄにそれぞれボルト１４ｄ、１４ｅが挿入された状態で、それらボルト１４ｄ、１４ｅにナットを螺合させることにより、固定板１０８が本体１４に固定される。これによって、本体１４に対してノブボルト１１０を変位方向に変位させることができる。
【００９２】
一方、図３及び図８に示すように、紙幣取扱装置５４が固定された支持ケース１０４には、固定板１０２が仮止めされる。具体的には、固定板１０２における突起１０２ｆが支持ケース１０４の長穴１１６ａに、突起１０２ｇが長穴１１６ｃに、ボルト１０２ｈが長穴１１６ｅに、ボルト１０２ｉが長穴１１６ｇにそれぞれ挿入される。そして、ボルト１０２ｈ、１０２ｉにナットが仮止めされ、支持ケース１０４に固定板１０２が仮止めされる。これによって、支持ケース１０４は、固定板１０２に対して変位可能となる。
【００９３】
また、他の種類の紙幣取扱装置を設置した場合には、その種類に応じて、固定板１０２における突起１０２ｆが支持ケース１０４の長穴１１６ｂに、突起１０２ｇが長穴１１６ｄに、ボルト１０２ｈが長穴１１６ｆに、ボルト１０２ｉが長穴１１６ｈにそれぞれ挿入され、ボルト１０２ｈ、１０２ｉにナットが仮止めされ、支持ケース１０４に固定板１０２が仮止めされる場合もある。
【００９４】
そして、図３及び図９に示すように、紙幣取扱装置５４が固定された支持ケース１０４が本体１４に仮止めされるとともに、固定板１０２が支持ボード４２に固定される。具体的には、支持ケース１０４の長穴１１４ｂに本体１４のボルト１４ｂが、長穴１１４ｃにボルト１４ｃがそれぞれ挿入される。そして、ボルト１４ｂ、ボルト１４ｃにナットが螺合されることにより、支持ケース１０４と本体１４とが仮止めされる。これによって、支持ケース１０４は、本体１４に対して変位可能となる。
【００９５】
これによって、紙幣挿入口と紙幣取入口とを対面させるような位置に紙幣取扱装置が調節され、紙幣挿入口を介して筐体の外部から挿入される紙幣を正常に取り入れることができるため、紙幣取入口の位置が異なる複数種類の紙幣取扱装置を設置することができる。
【００９６】
また、支持ケース１０４に対して変位可能な固定板１０２が支持ボード４２に固定される。具体的には、固定板１０２の係止爪１０２ａが支持ボード４２の開口４２ａに、係止爪１０２ｂが開口４２ｂにそれぞれ挿入され、固定板１０２が前方にスライドされる。この状態においては、当接面１０２ｃが支持ボード４２の底面に当接され、ねじ穴１０２ｄとねじ穴４２ｃとがボルトとナットにより螺合され、ねじ穴１０２ｅとねじ穴４２ｄとがボルトとナットにより螺合される。このように、固定板１０２が支持ボード４２に固定される。
【００９７】
そして、図３及び図１０に示すように、ノブボルト１１０が回転され、支持ケース１０４が上下方向に変位される。具体的には、ノブボルト１１０の先端１１０ａに支持ケース１０４の底面が当接されている。このため、ノブボルト１１０が回転されることにより、支持ケース１０４が上下方向に変位される。
【００９８】
この場合において、突起１０２ｆ、突起１０２ｇ、ボルト１０２ｈ、ボルト１０２ｉ、ボルト１４ｂ、ボルト１４ｃが、長穴１１６ａ、長穴１１６ｃ、長穴１１６ｅ、長穴１１６ｇ、長穴１１４ｂ、長穴１１４ｃにそれぞれ挿入された状態で、支持ケース１０４は、上下方向にスライドされる。
【００９９】
このように上下方向に支持ケース１０４が位置調節され、その支持ケース１０４に固定された紙幣取扱装置５４の紙幣取入口５４ｂと、扉１６に備えられた紙幣挿入口２８とが対面する位置に紙幣取扱装置５４が位置調節されることとなる。
【０１００】
これによって、微細な調整が可能となり、紙幣挿入口を介して筐体の外部から挿入される紙幣を正常に取り入れることができるため、紙幣取入口の位置が異なる複数種類の紙幣取扱装置を設置することができる。
【０１０１】
尚、本実施形態においては、支持ボード４２に固定板１０２を固定し、その固定板１０２に対して、支持ケース１０４を変位可能に固定したが、本発明はこれに限らず、固定板１０２を支持ボード４２等の他の部材と一体に形成してもよい。
【０１０２】
また、本実施形態においては、可動機構としての支持ケース１０４に長穴１１４ｂ、１１４ｃ、１１６ａから１１６ｈを、本体１４にボルト１４ｂ、１４ｃを、固定板１０２に突起１０２ｆ、１０２ｇ、ボルト１０２ｈ、１０２ｉを設けるように構成したが、他の態様としてもよく、例えば、可動機構としての支持ケースにボルト又は突起を設け、本体、固定板等、筐体に対して変位不可能な部材に長穴を設けるように構成してもよい。もちろん、これらの組合せであってもよい。また、それ以外の箇所であっても、ボルト、突起等の凸形状の部品と、それらの凸形状の部品に対応する凹形状、開口、長穴等と、を相反する位置に設けるようにしてもよい。
【０１０３】
更には、本実施形態においては、可動機構を構成する支持ケース１０４を用いる構成としたが、本発明はこれに限らず、可動機構を構成する部材を複数としてもよい。また、筐体１２（本体１４）に対して、変位不可能に固定される部材を一体としても、別体としてもよく、別体とした場合には、容易に紙幣取扱装置及びその支持装置を筐体の内部に取り付けることができる。
【０１０４】
更にまた、本実施形態においては、調整機構として位置調整機構１０６を用いるように構成したが、本発明はこれに限らず、別の態様であってもよく、特に、螺合部材を備えるように構成することにより、容易に微細な調整を行うことができる。
【０１０５】
更には、本実施形態においては、紙幣取扱装置５４を上下方向（鉛直方向）に位置調節するように構成したが、本発明はこれに限らず、他の方向に位置調節する態様であってもよく、例えば、水平方向に位置調節するように構成してもよく、更には、鉛直と水平方向とを組合せ、斜め方向に位置調節するように構成してもよい。
【０１０６】
更にまた、本明細書に記載された効果は、本発明から生じる最も好適な効果を列挙したに過ぎず、本発明による効果は、本明細書に記載されたものに限定されるものではない。
【０１０７】
【発明の効果】
本発明によれば、紙幣取扱装置における紙幣取入口と本体における紙幣挿入口との相対位置を調節することができ、遊技機の筐体内に紙幣取入口の位置が異なる複数種類の紙幣取扱装置を設置することができる。
【図面の簡単な説明】
【図１】本発明の一実施形態におけるスロットマシンの概観を示す図である。
【図２】本発明の一実施形態におけるスロットマシンの概観を示す図である。
【図３】本発明の一実施形態におけるスロットマシンの紙幣取扱装置及び支持機構の概観を示す図である。
【図４】本発明の一実施形態におけるスロットマシンの固定板を示す平面図である。
【図５】本発明の一実施形態におけるスロットマシンの紙幣取扱装置を支持する支持ケースを示す側面図である。
【図６】本発明の一実施形態におけるスロットマシンの紙幣取扱装置を支持する支持ケースを示す側面図である。
【図７】本発明の一実施形態におけるスロットマシンの紙幣取扱装置及び支持機構の位置調節行程を示す説明図である。
【図８】本発明の一実施形態におけるスロットマシンの紙幣取扱装置及び支持機構の位置調整行程を示す説明図である。
【図９】本発明の一実施形態におけるスロットマシンの紙幣取扱装置及び支持機構の位置調整行程を示す説明図である。
【図１０】本発明の一実施形態におけるスロットマシンの紙幣取扱装置及び支持機構の位置調整行程を示す説明図である。
【符号の説明】
１０  スロットマシン
１２  筐体
１４  本体
１６  扉
２８  紙幣挿入口
４２  支持ボード
５４  紙幣取扱装置
５６  支持機構
１０２  固定板
１０４  支持ケース
１０６  位置調節機構
１０８  固定板
１１０  ノブボルト
１１２  底面板
１１４  右側面板
１１６  左側面板
【図１】
2004344521.tif 000003
【図２】
2004344521.tif 000004
【図３】
2004344521.tif 000005
【図４】
2004344521.tif 000006
【図５】
2004344521.tif 000007
【図６】
2004344521.tif 000008
【図７】
2004344521.tif 000009
【図８】
2004344521.tif 000010
【図９】
2004344521.tif 000011
【図１０】
2004344521.tif 000012